(57)【特許請求の範囲】
【請求項１】
イグナイタコイルを収納する本体部と、該本体部の前面に沿って互いに間隔を空けて上向きに並設する複数本のガイド筒とを一体に成形してなり、該ガイド筒は、それぞれ、沿面距離を確保し得る高さの中空の円柱状に上部を形成し、イグナイタコイルの端子ピンを底部に突出させて端子ピンに連結する端子付きの電線を上から挿入するとともに、挿入された電線を引抜不能にロックする係合部を内部に設けることを特徴とするイグナイタコイルの収納ケース。
【請求項２】
前記ガイド筒は、複数本を一列に並設することを特徴とする請求項１記載のイグナイタコイルの収納ケース。
【請求項３】
前記ガイド筒の下部には、挿入された電線のロックを解除するための治具を上向きに挿入する切欠部を形成することを特徴とする請求項１または請求項２記載のイグナイタコイルの収納ケース。
【発明の詳細な説明】
【０００１】
【産業上の利用分野】
この発明は、厨房用のガス燃焼器具等に組み込むためのイグナイタに使用するイグナイタコイルの収納ケースに関する。
【０００２】
【従来の技術】
厨房用のガス燃焼器具等には、電子式のイグナイタが広く採用されている。
【０００３】
このものは、インバータユニットと、インバータユニットの出力電圧を昇圧するイグナイタコイルと、イグナイタコイルの出力電圧を利用して火口の近傍に火花放電を発生させるギャップ電極との組合せからなり、インバータユニットやイグナイタコイルは、適当な収納ケースに収納した上、器具に組み込むのが普通である。そこで、収納ケースとギャップ電極との間は、高圧電線を介して接続する必要があり、電線は、収納ケース側において、イグナイタコイルの出力側の端子ピンに電気的に接続するとともに、振動等によって不用意に抜け出ることがないように、収納ケースと絶縁被覆との間を接着剤によって接着するようにして組み立てられていた。なお、収納ケースには、電線の一端を挿入するガイド筒を形成し、イグナイタコイルの端子ピンは、ガイド筒の底部に上向きに突出させ、電線は、切断した端部をガイド筒に押し込むことによって端子ピンと接続した後、ガイド筒と電線の外周との間に接着剤を流し込んで固化させればよい。
【０００４】
【発明が解決しようとする課題】
かかる従来技術によるときは、接着剤は、ガイド筒の内部に流し込んだ後、一定の固化時間を必要とするから、組立ラインの途中において、固化時間を確保するために広い滞留スペースを必要とするばかりでなく、全体の組立所要時間も長くなり、製造効率がよくないという問題があった。また、接着剤は、接着強度のばらつきが生じ易く、電線の引抜強度のチェックが不可欠であるという問題もあった。
【０００５】
そこで、この発明の目的は、かかる従来技術の問題に鑑み、接着剤に代えて機械的なロックを採用することによって、組立ラインにおける滞留スペースの問題や、製造効率の問題を一挙に解消し、電線の引抜強度のチェックも省略することができるイグナイタコイルの収納ケースを提供することにある。
【０００６】
【課題を解決するための手段】
かかる目的を達成するためのこの発明の構成は、イグナイタコイルを収納する本体部と、本体部の前面に沿って互いに間隔を空けて上向きに並設する複数本のガイド筒とを一体に成形してなり、ガイド筒は、それぞれ、沿面距離を確保し得る高さの中空の円柱状に上部を形成し、イグナイタコイルの端子ピンを底部に突出させて端子ピンに連結する端子付きの電線を上から挿入するとともに、挿入された電線を引抜不能にロックする係合部を内部に設けることをその要旨とする。
【０００７】
なお、ガイド筒は、複数本を一列に並設することができ、ガイド筒の下部には、挿入された電線のロックを解除するための治具を上向きに挿入する切欠部を形成することができる。
【０００８】
【作用】
かかる発明の構成によるときは、ガイド筒は、挿入された端子付きの電線を引抜不能にロックする係合部を有するから、電線は、係合部によって機械的にロックされ、引抜不能に固定することができる。なお、係合部が電線をロックしたことは、電線を挿入する際の挿入深さや、挿入時の抵抗感、ロックがかかったときの作動音などによって容易に確認することができる。
【０００９】
ガイド筒を複数本並設するときは、イグナイタコイルが複数の出力側の端子ピンを有し、複数の火口を有する器具に適用する際にも、全体をコンパクトに形成することができる。各ガイド筒は、イグナイタコイルの各端子ピンに対応させることができるからである。
【００１０】
ガイド筒に切欠部を形成すれば、切欠部は、たとえば、ヘヤピンのような細いロック解除用の治具を挿入するための挿入通路として利用することができ、必要に応じ、ガイド筒に挿入された電線のロックを解除し、電線を引抜可能にすることができる。
【００１１】
【実施例】
以下、図面を以って実施例を説明する。
【００１２】
イグナイタコイルの収納ケースは、イグナイタコイルＮを収納する本体部１１と、イグナイタコイルＮの出力側の端子ピンＮ１  、Ｎ１  …に対応して設ける複数本のガイド筒１２、１２…とを一体に成形してなる（図１、図２）。
【００１３】
本体部１１は、共通の基板Ｐ上に搭載するインバータユニットＶ、イグナイタコイルＮを収納するためのケース体であり、ガイド筒１２、１２…とともに、たとえばナイロンのような合成樹脂により、一体成形されている。なお、本体部１１の底部には、底板１１ａが着脱自在に装着されており、左右の側面下部には、それぞれ取付用の脚１１ｂが突設されている。ただし、本体部１１は、イグナイタコイルＮのみを収納するように形成してもよく、このときのインバータユニットＶは、本体部１１に着脱自在に組み合わせる別の収納ケースに収納するものとする。また、図１の本体部１１の内部には、イグナイタコイルＮ、インバータユニットＶを仕切る仕切り壁を設けてもよく、さらに、インバータユニットＶを収納する収納ケースは、本体部１１と分離して取り付けるようにしてもよい。
【００１４】
ガイド筒１２、１２…は、本体部１１の前面に沿って、一列に上向きに並設されている。
【００１５】
各ガイド筒１２は、互いに間隔を空けて配置されており、上部が中空の円柱状に形成され、下部は、本体部１１の前面に突出するかまぼこ状の断面に形成された上、下端開放のスリット状の切欠部１２ａが上下方向に形成されている。各ガイド筒１２の内部は、上端部が円錐状の斜面１２ｂに形成され、下部は、仕切壁１２ｃを介し、本体部１１との間が仕切られている。仕切壁１２ｃの上端は、本体部１１に向けて屈曲してガイド筒１２の底部１２ｄとなっており、底部１２ｄには、イグナイタコイルＮの端子ピンＮ1 が貫通する角孔１２ｄ1 が形成されている。なお、角孔１２ｄ1 の下部は、全周が斜面１２ｄ2 、１２ｄ2 …になっているものとし、また、底部１２ｄの下面には、角孔１２ｄ1 の周囲に凹部１２ｄ3 が形成されている。
【００１６】
底部１２ｄの上面両側には、一対のガイド用の突部１２ｅ、１２ｅが相対向して形成されている（図２、図３）。ただし、各突部１２ｅの上端面は、底部１２ｄに向けて低く傾斜する斜面となっている。また、突部１２ｅ、１２ｅの上端面のやや下方には、切欠部１２ａに対応するようにして、下向きの鉤形の係合部１２ｆが突設されており、係合部１２ｆの下部は、斜面１２ｆ１  、通路１２ｆ２  を介し、切欠部１２ａに連続している。
【００１７】
イグナイタコイルＮには、各ガイド筒１２に対応して、底部１２ｄの下部にまで突出する舌片Ｎ２  、Ｎ２  …が形成されており（図１、図２）、各端子ピンＮ１  は、舌片Ｎ２  を上下に貫通している。そこで、各端子ピンＮ１  は、対応するガイド筒１２の角孔１２ｄ１  を下から上に貫通し、底部１２ｄの上方に突出させることができる。なお、各端子ピンＮ１  は、細い角棒材からなっており、舌片Ｎ２  の下面に突出する部分には、イグナイタコイルＮのリード線Ｎ１ａが接続されている。
【００１８】
各ガイド筒１２には、上方から端子Ｔ付きの電線Ｄを挿入する。端子Ｔは、圧着端子であって、先端部前方側には、端子ピンＮ１  に適合する挟み部Ｔ１  、Ｔ１  を有し（図２、図４）、背面側には、上向きのフックＴ２  が形成されている。また、端子Ｔの上部は、電線Ｄに対し、両側から締め付けるバンドＴ３  、Ｔ３  となっており（図１、図２）、中間部には、芯線Ｄ１  に対する圧着部Ｔ４  が形成されている。
【００１９】
いま、ガイド筒１２の上部から、端子Ｔ付きの電線Ｄを挿入し、端子Ｔの下端を底部１２ｄに到達させると（図５）、端子Ｔの挟み部Ｔ１  、Ｔ１  は、端子ピンＮ１  を弾発的に挟み込み、電線Ｄと端子ピンＮ１  とを電気的に接続することができる。また、このとき、端子Ｔの上向きのフックＴ２  は、ガイド筒１２の内部に突設する下向きの係合部１２ｆを乗り越えるようにして係合部１２ｆの下方にまで進行し、係合部１２ｆに対して下方から係合する。すなわち、係合部１２ｆは、フックＴ２  を係合させることにより、挿入された電線Ｄを引抜不能にロックすることができる。
【００２０】
一方、このとき、ガイド筒１２の下方の切欠部１２ａを介し、ヘアピンのような細い治具Ｋを上向きに挿入すれば（図５の二点鎖線）、治具Ｋの先端は、通路１２ｆ２  を介して斜面１２ｆ１  に至り、斜面１２ｆ１  に沿って滑りながら係合部１２ｆの下面に到達することにより、フックＴ２  を端子ピンＮ１  の方向に倒すことができる。そこで、治具Ｋは、フックＴ２  と係合部１２ｆとの係合を解除し、挿入された電線Ｄのロックを解除することができ、電線Ｄは、ガイド筒１２から抜去することができる。
【００２１】
以上の説明において、各ガイド筒１２の内径は、挿入する電線Ｄの端子Ｔを含む最大外径に適合するものとする。また、ガイド筒１２の高さは、塵埃が堆積したり、部分的に結露したりする劣悪な環境においても、隣接する電線Ｄや端子Ｔとの間に、十分な沿面距離が確保できるように設定するものとする。なお、底部１２ｄの下面の凹部１２ｄ３  も、必要な沿面距離を確保することに貢献する。ただし、ガイド筒１２、１２…は、イグナイタコイルＮ、インバータユニットＶの仕様により、図示に拘らず、１本以上の任意本数としてもよい。
【００２２】
【発明の効果】
以上説明したように、この発明によれば、イグナイタコイルを収納する本体部と、端子付きの電線を挿入するガイド筒とを一体に成形し、ガイド筒の内部に係合部を設けることによって、電線は、端子を介して、ガイド筒の底部に突出する端子ピンに接続するとともに、係合部を介して引抜不能にロックすることができるから、電線の取付作業は一挙動で済み、組立ラインに広い滞留スペースを用意する必要がない上、電線がロックされたことも、、電線の挿入深さが所定の値になったこと等により、容易に確認することができるから、電線の引抜強度のチェックも不要であり、したがって、全体としての製造効率を大幅に向上させることができるという優れた効果がある。
【図面の簡単な説明】
【図１】全体構成斜視説明図
【図２】要部拡大断面説明図
【図３】図２のＸ−Ｘ線矢視相当拡大断面図
【図４】図２のＹ−Ｙ線矢視相当拡大断面図
【図５】使用状態説明図
【符号の説明】
Ｎ…イグナイタコイル
Ｎ１  …端子ピン
Ｄ…電線
Ｔ…端子
Ｋ…治具
１１…本体部
１２…ガイド筒
１２ａ…切欠部
１２ｆ…係合部
【図１】
0003551265.tif 000002
【図２】
0003551265.tif 000003
【図３】
0003551265.tif 000004
【図４】
0003551265.tif 000005
【図５】
0003551265.tif 000006